(57)【要約】      （修正有）【課題】メンテナンスしやすく、使用寿命が長い利点を有する太陽エネルギー傘を提供する。【解決手段】太陽エネルギー傘は傘布、傘柄、傘台、傘柄を介して傘台に接続されるとともに傘布を支持する傘骨、傘布に実装される太陽電池セル、傘柄の内部に位置する蓄電池、太陽電池セルが挿入して接続される複数の挿入口５０５が設けられるとともに、傘骨に装着されて蓄電池に接続される集線装置、及び傘布の上方に位置して、挿入口をカバーする補助傘を備える。集線装置は、集線装置ヘッドカバー、コンセントレータ締結部材５０２、コンセントレータ５０３及び集線装置台座５０４を備える。集線装置台座には、凹溝５０６が設けられ、コンセントレータは凹溝内に支持される。【選択図】図５
0003220629.tif 000002
【実用新案登録請求の範囲】
【請求項１】
傘布と、傘柄と、傘台と、前記傘柄を介して傘台に接続されるとともに前記傘布を支持する傘骨と、前記傘布に実装される太陽電池セルと、前記傘柄の内部に位置する蓄電池と、複数の挿入口が設けられ、前記太陽電池セルが挿入口に挿入して接続され且つ前記傘骨に装着されて前記蓄電池に接続される集線装置と、前記傘布の上方に位置して、前記挿入口をカバーする補助傘とを備えることを特徴とする太陽エネルギー傘。
【請求項２】
前記集線装置は、コンセントレータと、凹溝が設けられるとともに前記傘骨に装着される集線装置台座と、集線装置台座上に締結されて前記コンセントレータを前記凹溝内に支持するコンセントレータ締結部材と、前記補助傘の上方に位置しかつ前記コンセントレータ締結部材に接続されることで前記補助傘を締め付ける集線装置ヘッドカバーとを備え、前記挿入口は、前記コンセントレータに位置する請求項１に記載の太陽エネルギー傘。
【請求項３】
前記集線装置は傘柄に装着された制御装置をさらに備え、前記制御装置には、ＵＳＢポートと充電端子とが設置されていることを特徴とする請求項１に記載の太陽エネルギー傘。
【請求項４】
前記傘骨には、ＬＥＤが装着されており、前記傘骨の開閉は、電動機により駆動され、前記蓄電池は、前記制御装置により、前記ＬＥＤライト及び前記電動機に電力を供給することを特徴とする請求項３に記載の太陽エネルギー傘。
【請求項５】
前記傘台は、台座支柱、前記台座支柱が台座締結装置を介して接続される台座本体を備え、前記傘柄は、前記台座支柱に挿入式で着脱可能に接続され、締結装置により締め付けて固定されることを特徴とする請求項１に記載の太陽エネルギー傘。
【請求項６】
前記蓄電池は、電池セル、固定板、電池ヘッドカバー及び電池台座を備え、前記電池セルは、前記固定板により前記電池ヘッドカバーと前記電池台座との間に挟み込まれて固定され、前記電池台座には、位置決め溝が設けられており、前記位置決め溝には、ホールが設けられており、前記傘柄の内部には、前記位置決め溝に対応する突起が設けられ、前記位置決め溝は、前記突起に結合されて、前記蓄電池が前記傘柄に入るようにし、ボルトが、前記傘柄を通過して前記位置決め溝の位置のホール内にねじ込まれていることを特徴とする請求項１に記載の太陽エネルギー傘。
【請求項７】
前記傘骨は、骨格、前記骨格に装着されるスライドレール、第１ブランキングキャップ、第２ブランキングキャップ及び第３ブランキングキャップを備え、前記スライドレールの長さは、前記骨格の長さよりも短く、前記スライドレールは、底面壁と、前記底面壁の両側から対向して延長されかつ前記底面壁と間隔を置いている一対の上部壁と、前記底面壁と前記上部壁により形成された部分的に開放されたスライド溝とを備え、前記第１ブランキングキャップは、前記スライドレールの遠端をシーリングし、前記第２ブランキングキャップは、前記スライドレールの近端をシーリングし、前記第３ブランキングキャップは、前記骨格の遠端をシーリングしかつ前記第１ブランキングキャップについて位置制限することを特徴とする請求項１に記載の太陽エネルギー傘。
【請求項８】
前記スライドレールの両側には、さらに補助スライドレールが設けられ、前記補助スライドレールは、滑らかな円弧断面を有するスロットチューブ形態であることを特徴とする請求項７記載の太陽エネルギー傘。
【請求項９】
前記傘布の両側に位置する支持ロッドをさらに備え、二つの前記支持ロッドは、それぞれ、前記傘骨に隣接する前記補助スライドレール内に位置し、前記傘布は、前記補助スライドレールのスロットから伸出されることを特徴とする請求項８に記載の太陽エネルギー傘。
【請求項１０】
前記スライドレールの底面壁の中間位置には、下に延長された接続リブと、前記接続リブ下部に位置する係合部とが形成され、前記係合部は滑らかな円弧断面を有するスロットチューブ形態であり、前記骨格は、チューブ状部及び前記チューブ状部の上方に位置しかつ滑らかな円弧断面を有する係止溝を備え、前記スライドレールの係合部は、前記係止溝内に位置して、接続リブは前記係止溝のスロットから伸出されることを特徴とする請求項８に記載の太陽エネルギー傘。
【請求項１１】
前記スライド溝は、前記係止溝と連通されることを特徴とする請求項１０に記載の太陽エネルギー傘。
【請求項１２】
前記第１ブランキングキャップと前記第３のブランキングキャップが分離された構成であり、前記第１ブランキングキャップは、前記スライド溝をシーリングするための第１アーム部、前記第１アーム部の両側に位置して前記補助スライドレールをシーリングするための第１管部、前記第１アーム部の下部に位置し、前記係合部をシーリングするための第２管部、及び前記第２管部の下部に位置するストッパーを備え、前記第３ブランキングキャップは、前記チューブ状部をシーリングするための第３管部及び前記第３管部から上方へ延長し形成されたバックストップを備えることを特徴とする請求項１０に記載の太陽エネルギー傘。
【請求項１３】
前記第２ブランキングキャップは、前記スライド溝をシーリングするための第２アーム部、第２アーム部の両側に位置して前記補助スライドレールをシーリングするための第４管部を備え、前記第２ブランキングキャップは、前記係合部及び前記係止溝をシーリングしていないことを特徴とする請求項１０に記載の太陽エネルギー傘。
【請求項１４】
前記第１ブランキングキャップ及び/もしくは前記第２ブランキングキャップは、ボルトを介して前記スライドレールに締結され、並びに/または前記第３ブランキングキャップは、ボルトを介して前記骨格に締結されることを特徴とする請求項７〜１３のいずれか一項に記載の太陽エネルギー傘。
【請求項１５】
前記太陽電池セルは、前記第１ブランキングキャップ及び前記第２ブランキングキャップによって前記スライド溝内に位置制限され、前記スライド溝にスライド結合されることを特徴とする請求項７に記載の太陽エネルギー傘。
【請求項１６】
前記第１ブランキングキャップと前記第３ブランキングキャップが一体構成されることを特徴とする請求項７に記載の太陽エネルギー傘。
【考案の詳細な説明】
【技術分野】
【０００１】
本考案は、傘の分野に関し、具体的には、太陽エネルギー傘に関する。
【背景技術】
【０００２】
太陽エネルギー技術の発展に伴い、熱供給及び暖房に使われるため、生活中でますます多くの用品に太陽エネルギー発電装置が配置され始めた。最近、日光を遮断しかつ雨を防いでくれる傘もますます太陽エネルギー発電機能をよく多く兼ねるようになった。一般的に,太陽電池セルは剛性の単結晶シリコン太陽電池セルとフレキシブルアモルファスシリコン太陽電池セルに分かれ、フレキシブル太陽電池セルは、一定の柔軟性を有するが、傘布と一緒に頻繁に折り畳む場合、太陽電池セルはやはり破損される可能性があり、剛性の太陽電池セルの場合は、よりひどく破損される。従来の技術には、太陽電池セルを接着、縫製などの方式により、直接的に傘布に装着するので、太陽電池を取り外すことができなく、保証メンテナンスまたは交換することができず、使用寿命に影響を及ぼし、傘の折り畳みに不利である。
【０００３】
登録公告番号がＣＮ２０２３１１６１６Ｕであり、名称が「多機能のアモルファスシリコンフレキシブル太陽電池傘」である中国実用新案特許では、フレキシブル太陽電池を利用して発電して、ＬＥＤライト、ファンなどに電力を供給する装置を開示した。当該技術方案において、アモルファスシリコンフレキシブル太陽電池ブロックは、防水透明層と白い乱反射層との間に挟み込まれて、傘布を折り畳む時にフレキシブル太陽電池の破損を避けるために、各結晶シリコンフレキシブル太陽電池の傘布の中間の折り線位置で隙間を設けた。
【０００４】
出願番号が２０１３１０６０４３７５.４であり、名称が「新型太陽エネルギー傘の構造」である中国実用新案出願において、リード線を介してフレキシブルの太陽エネルギーパネルと傘柄の中の電池を接続する技術方案を開示した。
【０００５】
出願番号が２００８１０２１９００３.９であり、名称が「太陽エネルギーの自動遠隔操縦型傘」である中国特許出願において、遠隔操縦の方式を使用して、モーター電動機を利用して、傘を折り畳みしたり開いたりすること（すなわち開閉）を制御する技術方案を開示した。
【０００６】
従来技術の欠陥は、以下の通りである。まず、傘をよく開閉しなければならないので、その過程で、太陽電池セル又は太陽電池セルと蓄電池との間のリード線が破損されやすく、太陽電池セル個体またはそのリード線の破損は、他の太陽電池セルの発電に影響を及ぼす。次に、当該方案には、まだ太陽電池を取り外して交換できない欠陥を有する。次に、実際の応用においては、傘を折り畳むとき、傘布がただ中間の折り線位置で折り畳むことをほぼ確保できず、まだ太陽電池セルの破損を招きやすい。最後に、傘布で太陽電池セルを支持する場合には、傘布が破損しやすくて、日光を遮断しかつ雨を防いでくれる効果に影響を及ぼす。
【考案の概要】
【考案が解決しようとする課題】
【０００７】
本考案の目的は、太陽エネルギー傘の信頼性、メンテナンスの便利性と使用寿命を向上させることである。
【課題を解決するための手段】
【０００８】
上述した目的を実現するために、本考案の実施例は、次のような技術方案を提供した。
【０００９】
太陽エネルギー傘は、傘布と、傘柄と、傘台と、前記傘柄を介して傘台に接続されるとともに前記傘布を支持する傘骨と、前記傘布に実装される太陽電池セルと、前記傘柄の内部に位置する蓄電池と、複数の挿入口が設けられ、前記太陽電池セルが挿入口に挿入して接続され且つ前記傘骨に装着されて前記蓄電池に接続される集線装置と、及び前記傘布の上方に位置して、前記挿入口をカバーする補助傘とを備える。
【００１０】
好ましい方案として、前記集線装置は、集線装置ヘッドカバー、コンセントレータ、凹溝が設けられるとともに、前記傘骨に装着される集線装置台座を含み、集線装置台座上に締結されて、前記コンセントレータを前記凹溝内に支持するコンセントレータ締結部材、及び前記補助傘の上方に位置しかつ前記コンセントレータ締結部材に接続されることで、前記補助傘を締め付ける前記集線装置ヘッドカバーを備え、前記挿入口は、前記コンセントレータに位置する。
【００１１】
好ましい方案として、前記傘柄に装着された制御装置をさらに備え、前記制御装置には、ＵＳＢポートと充電端子とが設置されている。
【００１２】
好ましい方案として、前記傘骨には、ＬＥＤライトが装着されており、前記傘骨の開閉は、電動機により駆動され、前記蓄電池は、前記制御装置により、前記ＬＥＤライト及び前記電動機に電力を供給する。
【００１３】
好ましい方案として、前記傘台は、台座支柱、前記台座支柱が前記台座締結装置を介して接続される台座本体及び台座締結装置を備え、前記傘柄は、前記台座支柱に挿入式で着脱可能に接続され、締結装置により締め付けて固定される。
【００１４】
好ましい方案として、前記蓄電池は、電池セル、固定板、電池ヘッドカバー及び電池台座を備え、前記電池セルは、前記固定板により前記電池ヘッドカバーと前記電池台座との間に挟み込まれて固定され、前記電池台座には、位置決め溝が設けられており、前記位置決め溝には、ホールが設けられており、前記傘柄の内部には、前記位置決め溝に対応する突起が設けられ、前記位置決め溝は、前記突起に結合されて、前記蓄電池が前記傘柄に入るようにし、ボルトを、前記傘柄を通過した後、前記位置決め溝の位置のホール内にねじ込む。
【００１５】
好ましい方案として、前記傘骨は、骨格、前記骨格に装着されるスライドレール、第１ブランキングキャップ、第２ブランキングキャップ及び第３ブランキングキャップを備え、前記スライドレールの長さは、前記骨格の長さよりも短く、前記スライドレールは、底面壁、前記底面壁の両側から対向して延長されかつ前記底面壁と間隔を置いている一対の上部壁及び前記底面壁と前記上部壁により形成された部分的に開放されたスライド溝を備え、前記第１ブランキングキャップは、前記スライドレールの遠端をシーリングし、前記第２ブランキングキャップは、前記スライドレールの近端をシーリングし、前記第３ブランキングキャップは、前記骨格の遠端をシーリングしかつ前記第１ブランキングキャップについて位置制限する。
【００１６】
好ましい方案として、前記スライドレールの両側には、さらに補助スライドレールが設けられ、前記補助スライドレールは、滑らかな円弧断面を有するスロットチューブ形態である。
【００１７】
好ましい方案として、前記第１ブランキングキャップと前記第３ブランキングキャップが一体構成される。
【００１８】
好ましい方案として、前記スライドレールの底面壁の中間位置にて、下に延長され、接続リブ及び前記連結リブ下部に位置する係合部が形成され、前記係合部は滑らかな円弧断面を有するスロットチューブ形態であり、前記骨格は、チューブ状部及び前記チューブ状部の上方に位置しかつ滑らかな円弧断面を有する係止溝を備え、前記スライドレールの係合部は、前記係止溝内に位置して、接続リブは前記係止溝のスロットから伸出される。
【００１９】
好ましい方案として、前記スライディング溝は、前記係止溝と連通される。
【００２０】
好ましい方案として、前記第１ブランキングキャップと前記第３のブランキングキャップが分離された構成であり、前記第１ブランキングキャップは、前記スライド溝をシーリングするための第１アーム部、前記第１アーム部の両側に位置して前記補助スライドレールをシーリングするための第１管部、前記第１アーム部の下部に位置し、前記係合部をシーリングするための第２管部、及び前記第２管部の下部に位置するストッパーを備え、前記第３ブランキングキャップは、前記チューブ状部をシーリングするための第３管部及び前記第３管部から上方へ延長し形成されたバックストップを備える。
【００２１】
好ましい方案として、前記第２ブランキングキャップは、前記スライド溝をシーリングするための第２アーム部、第２アーム部の両側に位置して前記補助スライドレールをシーリングするための第４管部を備え、前記第２ブランキングキャップは、前記係合部及び前記係止溝をシーリングしていない。
【００２２】
好ましい方案として、前記第１ブランキングキャップ及び/または前記第２ブランキングキャップは、ボルトを介して前記スライドレールに締結され、及び/または前記第３ブランキングキャップは、ボルトを介して前記骨格に締結される。
【００２３】
好ましい方案として、前記太陽電池セルは、前記第１ブランキングキャップ及び前記第２ブランキングキャップによって前記スライド溝内に位置制限され、前記スライド溝にスライド結合される。
【００２４】
好ましい方案として、前記傘布の両側に位置する支持ロッドをさらに備え、二つの前記支持ロッドは、それぞれ、前記傘骨に隣接する前記補助スライドレール内に位置し、前記傘布は前記補助スライドレールのスロットから伸出される。
【００２５】
本考案の実施形態による有益な効果は、以下の通りである。
【００２６】
本考案の実施例は、集線装置上の複数の挿入口を利用して、各太陽電池セルを挿入して接続し、各太陽電池セルにより発生された電流は、集線装置を介して合流されてから蓄電池へ流れ、集線装置は太陽電池セルのリード線を保護する作用を果たし、単一の太陽電池セル及びそのリード線が破損されても他の太陽電池セルの動作に影響を与えずに、差込型接続方式は、自由でメンテナンスしやすく、蓄電池から外部へ電力を供給する必要がある場合にも、差込型接続方式で簡単に実現することができる。
【００２７】
さらに、本実施例に係る集線装置の構造は、主な合流部品としてのコンセントレータに対して十分に衝突の防止や雨を防ぐ保護作用をすることができる。
【００２８】
さらに、制御装置上のＵＳＢポッドを利用して、外部電気設備に簡単に電力を供給することができ、また太陽光がない場合には、充電端子により蓄電池に充電することができる。
【００２９】
さらに、蓄電池の構造は、各電池セルが傘柄の内部においての位置決めに有利である。
【００３０】
さらに、傘骨上のスライド溝を利用して、太陽電池セルを支持することで、まず、太陽エネルギー傘の傘布を勝手に折り畳んでも太陽エネルギーセルを破損せず、次に、第１ブランキングキャップをオープンすれば、太陽電池セルを抜いて出すことができ、フレキシブル太陽電池セルを使用した場合、ひいては第１ブランキングキャップをオープンする必要もなく、フレキシブル太陽電池セルの微細な変形のみに依拠して、太陽電池セルをスライド溝から引き出すことができ、分離がより便利になり、次に、傘布は太陽電池セルの重さを支持する必要がないので、より破損されにくい。
【００３１】
さらに、補助スライドレールと傘布の両側の支持ロッドとの結合を利用して、第１ブランキングキャップをオープンするとき、すぐ傘布を引き出すことができ、これにより、傘布の交換がより簡単になり、傘のメンテナンス及び造形交換などによる要求を満たす。
【００３２】
さらに、スライドレールと骨格は係合式で組み立てられ、第３ブランキングキャップをオープンした後、外側へスライドレールを引くと、スライドレールを取り出すことができ、スライドレールの交換、メンテナンスが便利になり、太陽電池セルの様々な寸法の要求を満たすことができる。
【００３３】
さらに、スライド溝は係止溝に連通され、太陽電池セルのリード線は、スライドレールのスライド溝から骨格の係止溝に進入できることで、傘柄にさらに進入して蓄電池に接続されるので、太陽電池セルのリード線は、全体の延長過程において保護され、傘を折り畳みても、リード線に影響を及ぼさず、リード線が切れない。
【００３４】
さらに、第１ブランキングキャップ及び第２ブランキングキャップは、スライド溝や補助スライドレールをシーリングする機能を兼ねるので、太陽電池セルや傘布の支持ロッドを同時に保護することができる。
【００３５】
さらに、第１ブランキングキャップと第３ブランキングキャップの結合は、第１ブランキングキャップがスライド離脱することを防止しかつ分離に便利になる。
【００３６】
以下、添付された図面を結合して、本考案の実施例をさらに詳細に説明する。
【図面の簡単な説明】
【００３７】
【図１】図１は、本考案の実施例に係る太陽エネルギー傘の正面図である。
【図２】図２は、本考案の実施例に係る太陽エネルギー傘から傘布と補助傘を除去した後の正面図である。
【図３】図３は、本考案の実施例に係る太陽エネルギー傘の先端部の展開図である。
【図４】図４は、本考案の実施例に係る太陽エネルギー傘の先端部の集線装置の展開図である。
【図５】図５は、本発明の実施例に係る太陽エネルギー傘の集線装置の局部拡大図である。
【図６】図６は、本発明の実施例に係る太陽エネルギー傘の制御装置の展開図である。
【図７】図７は、本発明の実施例に係る太陽エネルギー傘の制御装置のタッチパネルの正面図である。
【図８】図８は、本発明の実施例に係る太陽エネルギー傘の台座と傘柄の展開図である。
【図９】図９は、本発明の実施例に係る太陽エネルギー傘の傘柄の展開図である。
【図１０】図１０は、本発明の実施例に係る太陽エネルギー傘の蓄電池の斜視図である。
【図１１】図１１は、本発明の実施例に係る太陽エネルギー傘の斜視図である。
【図１２】図１２は、本発明の実施例に係る太陽エネルギー傘の他の角度の斜視図である。
【図１３】図１３は、本発明の実施例に係る傘骨の斜視図である。
【図１４】図１４は、本発明の実施例に係る傘骨の他の角度の斜視図である。
【図１５】図１５は、本考案の実施例に係るスライドレールの斜視図である。
【図１６】図１６は、本発明の実施例に係る骨格の斜視図である。
【図１７】図１７は、本発明の実施例に係る第１ブランキングキャップの斜視図である。
【図１８】図１８は、本発明の実施例に係る第１ブランキングキャップの他の角度の斜視図である。
【図１９】図１９は、本発明の実施例による第２ブランキングキャップの斜視図である。
【図２０】図２０は、本発明の実施例に係る第３ブランキングキャップの斜視図である。
【図２１】図２１は、本発明の実施例に係る傘布の斜視図である。
【図２２】図２２は、本発明の実施例に係る傘布の装着構造の斜視図である。
【図２３】図２３は図２２のＡ部分の局部拡大図である。
【図２４】図２４は、本考案の実施例に係る傘骨に太陽電池セル装着後の斜視図である。
【図２５】図２５は、本考案の実施形態に係る太陽エネルギー傘の制御回路の模式図である。
【図２６】図２６は、本考案の実施例に係る蓄電池の電力供給回路の模式図である。
【考案を実施するための形態】
【００３８】
以下の説明において、「上」、「下」とは、それぞれ空への方向と地への方向を指し、「遠い」、「近い」とは、傘柄２に対する方向であり、即ち、傘柄２から離れる一端は遠端であり、その遠端は、一般的に傘のエッジであり、傘柄２に近づく一端は近端である。
【００３９】
図１、図２を参照すると、本実施例に係る太陽エネルギー傘は、傘布１、傘柄２、傘台３、補助傘４、集線装置５、制御装置６、締結装置７、蓄電池８（図８及び図１０を参照）、傘骨９、太陽電池セル１０１などを備える。太陽電池セル１０１は、直接的にまたは間接的に傘布１に実装され、太陽電池セル１０１は、電流、電圧の必要に応じて、並列接続または直列接続される。各太陽電池セル１０１の回路上にいずれもダイオードが設置され、単一の太陽電池セル１０１が破損されても、回路全体の動作に影響を及ぼさないように確保する。傘布１は、傘骨９によって支持され、傘柄２は傘骨９と傘台３とを接続し、ＬＥＤライト９０１は傘骨９に装着される。傘柄２には、導電性接点が設けられており、傘骨が展開された後、ＬＥＤライトは接点と接続されて、ＬＥＤライト９０１の照明を実現する。
【００４０】
図３、図４及び図５を参照すると、集線装置５は、傘骨９に装着される。より具体的には、集線装置５は、集線装置ヘッドカバー５０１、コンセントレータ締結部材５０２、コンセントレータ５０３及び集線装置台座５０４を備える。集線装置台座５０４は、傘骨９に装着され、集線装置台座５０４には、凹溝５０６が設けられており、コンセントレータ５０３は溝５０６内に位置し、コンセントレータ締結部材５０２は、ボルトを介して集線装置台座５０４に締結され、コンセントレータ５０３は凹溝５０６内に支持される。コンセントレータ５０３上に複数の挿入口５０５が設けられており、一つの太陽電池セル１０１のリード線が一つの挿入口５０５に挿入して接続されて、電流が太陽電池セル１０１から蓄電池８に合流される。集線装置ヘッドカバー５０１は、補助傘４の上方に位置し、集線装置ヘッドカバー５０１は、ボルトを介してコンセントレータ締結部材５０２に接続され、両者により補助傘４が締め付けられ、補助傘４が傘布１の上方に位置して挿入口５０５を遮るように確保して、挿入口５０５に対して衝突の防止、防水、防塵のような保護作用を果たす。
【００４１】
図６を参照すると、当該図面は、傘柄２及び制御装置６の接続構造を示す。制御装置６は、制御装置リアカバー６０１及び制御装置フロントカバー６０２を備える。制御装置リアカバー６０１には、傘柄２上のホール２０１を通過した後に制御装置フロントカバー６０２と結合して制御装置６を傘柄２に固定するための制御装置リアカバー固定ボルト６０３が設置されている。制御装置フロントカバー６０２の両側にＵＳＢポート６０４が対称して設置されており、傘柄２内の蓄電池８に貯蔵されている太陽エネルギーを外接デバイスに提供することができる。制御装置６内に、ブルートゥース（登録商標）やＬＡＮカードポートがさらに設置されることができ、ＷＩＦＩ信号を提供可能で、携帯電話のアプリケーションによって操縦可能になる。制御装置６には、交流電流で蓄電池８に電力を供給するための充電ポートがさらに設けられることができる。本実施例において、傘骨９の開閉は、電動機により駆動され、蓄電池８は、制御装置６によって電動機に電力を提供する。ＷＩＦＩモジュールは、制御装置６内に装着されて、リモコンは電動機を遠隔操縦することで、太陽エネルギー傘が折り畳みされるか開かれるように案内し、ＷＩＦＩを制御し、ＬＥＤライト９０１のスイッチングなどを制御することができる。リモコンは、携帯電話であってもよく、アプリケーションをダウンロードして制御機能を実現する。
【００４２】
図７を参照すると、制御装置６は、タッチパネルを備え、タッチパネルには、電源スイッチボタン、傘折り畳みボタン、傘開きボタン及びＬＥＤライトボタンが設けられており、すべてのボタンはタッチモードを使用する。
【００４３】
図８、図９を参照すると、傘台３は、台座支柱３０１、台座本体３０２及び台座締結装置３０３を備える。傘柄２は、台座支柱３０１に挿入式で着脱可能に接続され、例えば螺旋管のような締結装置７によって、締め付けて固定され、蓄電池８が傘柄２の内部に支持される。蓄電池８は、傘柄２の内部のリード線を介して集線装置５に接続される。台座支柱３０１は、台座締結装置３０３を介して台座本体３０２に接続され、台座締結ネジ３０４によって固定される。
【００４４】
図１０を参照すると、蓄電池８は、複数の電池セル８０１、固定板８０２、電池ヘッドカバー８０４及び電池台座８０５を備える。電池セル８０１は、電池ヘッドカバー８０４と電池台座８０５との間に位置し、固定板８０２によって挟み込まれて固定される。電池台座８０５には、位置決め溝８０７が設けられており、位置決め溝８０７には、ホール８０６が設けられている。傘柄２の内部には、位置決め溝８０７に対応する突起が設けられており、装着時、蓄電池８の位置決め溝８０７は傘柄２内の突起に対応して結合されて、蓄電池８が傘柄２の内部に入るようにし、ボルトを傘柄２を通過させた後、位置決め溝８０７の位置のホール８０６内にねじ込み、蓄電池８を固定させる。
【００４５】
図１１を参照すると、当該図面は、太陽エネルギー傘の斜め下から観察した図である。当該図面で太陽エネルギー傘の傘骨９、傘布１、傘柄２などが見られる。
【００４６】
図１２を参照すると、当該図面は、太陽エネルギー傘の斜め上から観察した図である。太陽エネルギー傘は、さらに太陽電池セル１０１を備える。従来技術との相違点は、太陽電池セル１０１は、傘布１によって直接に支持されることではなく、傘骨９によって支持されるので、本実施例では、太陽電池セル１０１が間接的に傘布１に実装されるものとみなすことができ、間接実装の優勢は以下で説明する。実際的に製造する時、従来技術の中の縫合、接着などの方式を利用して、太陽電池セル１０１を傘布１に直接に実装することもできる。
【００４７】
図１３及び図１４を参照すると、傘骨９は、骨格９２０、骨格９２０上に装着されたスライドレール９１０、第１ブランキングキャップ９３０、第２ブランキングキャップ９４０及び第３ブランキングキャップ９５０を備える。以下説明する実施例において、第１ブランキングキャップ９３０と第３ブランキングキャップ９５０が分離された構成であるが、実際の応用において、第１ブランキングキャップ９３０は第３ブランキングキャップ９５０に一体構成してもよい。同様に、以下説明する実施例において、スライドレール９１０と骨格９２０が分離された構成であるが、実際の応用において、両者は一体構成しても良く、一体構成も本明細書で述べた「装着」の範疇に属し、別に区別しない。遠さから近さまでの方向（半径方向）で、スライドレール９１０の長さは、骨格９２０の長さよりも短いので、骨格９２０は、スライドレール９１０により一部がカバーされ、一部がスライドレール９１０によりカバーされてない。
【００４８】
図１５を参照すると、スライドレール９１０は、底面壁９１１、底面壁９１１の両側から対向して延長される一対の上部壁９１２を備え、二つの上部壁９１２と底面壁９１１との間には間隔９１３があり、二つの上部壁９１２は接触せず、かつ、両者の間には一定の距離があるので、底面壁９１１と上部壁９１２は、一部がオープンされたスライド溝９１４を形成する。スライドレール９１０の底面壁９１１の両側に補助スライドレール９１５をさらに備える。補助スライドレール９１５は、滑らかな円弧断面を備え、斜視図から見ると、補助スライドレール９１５は、スロット９１６を備えたチューブ形態である。スライドレール９１０の底面壁９１１の二つの補助スライドレール９１５との間の中間位置にて、下に延長されて、接続リブ９１７及び接続リブ９１７の下部に位置する係合部９１８が形成される。係合部９１８の横断面も滑らかな円弧であり、斜視図から見ると、係合部９１８は、スロット９１９を有するチューブ形態である。底面壁９１１において近端に近づく位置に連通ホール９１１０が設けられている。
【００４９】
図１６を参照すると、骨格９２０は、チューブ状部９２１とチューブ状部９２１の上方に位置する係止溝９２２を備える。係止溝９２２の横断面も滑らかな円弧であり、斜視図から見ると、係止溝９２２は、スロット９２３を備えるチューブ形態である。
【００５０】
図１７、図１８を参照すると、第１ブランキングキャップ９３０は、図１５中のスライディング溝９１４の遠端をシーリングするための第１アーム部９３１、第１アーム部９３１の両側に位置して図１５中の補助スライドレール９１５の遠端をシーリングするための第１管部９３２、第１アーム部９３１の下部に位置して図１５中の係合部９１８を、図１６中の係止溝９２２中にシーリングするための第２管部９３３、及び第２管部９３３の下部に位置するストッパー９３４を備える。第１アーム部９３１からさらに第１板部９３５が延長して形成され、第１板部９３５にボルト穴９３６が設けられている。図１８から明らかに見られるように、ボルト穴９３６は、第１板部９３５と第２管部９３３を貫通する。
【００５１】
図１９を参照して、第２ブランキングキャップ９４０は、図１５中のスライディング溝９１４の近端をシーリングするための第２アーム部９４１、第２アーム部９４１の両側に位置して図１５中の補助スライドレール９１５の近端をシーリングするための第４管部９４２、第２アーム部９４１から延長された第２板部９４３、及び第２板部９４３に設けられたボルト穴９４４を備える。第１ブランキングキャップ９３０との相違点は、第２ブランキングキャップ９４０の第２アーム部９４１の下部には、係合部９１８及び係止溝９２２をシーリングするための構造が備えていない。
【００５２】
図２０を参照すると、第３ブランキングキャップ９５０は、骨格９２０のチューブ状部９２１をシーリングするための第３管部９５１及び第３管部９５１から上方へ延長し形成されたバックストップ９５２を備える。
【００５３】
図１３乃至図２０を結合して、本実施例に係る傘骨９の組み立る過程は、以下の通りである。
【００５４】
スライドレール９１０の係合部９１８は、骨格９２０の一端から係止溝９２２内に挿入しながら接続リブ９１７は係止溝９２２のスロット９２３から伸出されることにより、係合部９１８が係止溝９２２に結合され、これにより骨格９２０がスライドレール９１０に係合される。なお、係合部９１８は、スロット９１９を介して係止溝９２２と貫通され、両者により形成されたスペースは、続いて装着される太陽電池セルのリード線を収納するために使用することができる。その後、第１ブランキングキャップ９３０によりスライドレール９１０の遠端をシーリングし、第１ブランキングキャップ９３０のストッパー９３４が骨格９２０の切り口９２４内に挿入され、ボルトがボルト穴９３６を通過した後、底面壁９１１に締結される。そのとき、第１管部９３２は補助スライドレール９１５に挿入され、第２管部９３３が係止溝９２２に挿入される。その後、第２ブランキングキャップ９４０によりスライドレールの近端をシーリングし、その時、第２ブランキングキャップ９４０の第４管部９４２は、スライドレール９１０の補助スライドレール９１５に挿入され、ボルトはボルト穴９４４を通過した後、底面壁９１１に締結される。その後、第３ブランキングキャップ９５０の第３管部９５１が骨格９２０のチューブ状部９２１に挿入されることで、骨格９２０の遠端をシーリングし、第３ブランキングキャップ９５０のバックストップ９５２は、ストッパー９３１に結合して、第１ブランキングキャップ９３０について位置制限する。このように、第３ブランキングキャップ９５０は、ボルト、リベット、締まり嵌めなどの方式により骨格９２０に締結されば、第１ブランキングキャップ９３０及びスライドレール９１０が骨格９２０から外れることを防止できる。
【００５５】
図２１を参照すると、支持ロッド１１０は、傘布１の両側に接続されて、傘布１に対して支持作用を果たす。
【００５６】
図２２、図２３を参照すると、１つの傘布１の二つの支持ロッド１１０は、それぞれ二つの傘骨９のスライドレール９１０の補助スライドレール９１５内に位置し、第１ブランキングキャップ９３０の第１管部９３２、第２ブランキングキャップ９４０の第４管部９４２は、支持ロッド１１０を補助スライドレール９１５内にシーリングさせ、傘布１は補助スライドレール９１５のスロット９１６の中から伸出されることができ、太陽エネルギー傘の折り畳んだり開いたりすることを実現する。傘布を交換する必要の場合には、第１ブランキングキャップ９３０をオープンして、傘布１の支持ロッド１１０を補助スライドレール９１５から抜き、傘布１の交換がより便利になり、傘のメンテナンス及び造形交換などのような要求を満たすことができ、傘布１は、分離構造を利用することが有利である。第１ブランキングキャップ９３０、第２ブランキングキャップ９４０は、スライド溝９１４、補助スライドレール９１５をシーリングする機能を兼ねて、太陽電池セル１０１と傘布９の支持ロッド９１０を同時に保護することができる。
【００５７】
図２４を参照すると、太陽電池セル１０１は、第１ブランキングキャップ９３０及び第２ブランキングキャップ９４０により、スライド溝９１４内に位置制限されかつスライド溝９１４の内にスライド結合され、太陽電池セル１０１のエッジは、間隔９１３に係合されるので、接合または縫製が必要でない。傘骨９上のスライド溝９１４を利用して、太陽電池セル１０１を支持する優勢は、まず、太陽エネルギー傘の傘布１を、勝手に折り畳むことができるとともに、太陽電池セル１０１を破損させない。次に、太陽電池セル１０１の交換が必要な場合には、第３ブランキングキャップ９５０をオープンすれば、全体のスライドレール９１０及びその上の太陽電池セル１０１に対して、全体的に交換することができ、または第１ブランキングキャップ９３０をオープンして、太陽電池セル１０１を抜いて、太陽電池セル１０１のみを交換することができ、フレキシブル太陽電池セルを使用する場合、ひいては第１ブランキングキャップ９３０及び第３ブランキングキャップ９５０をオープンする必要もなく、フレキシブル太陽電池セルの微細な変形のみに依拠して、太陽電池セル１０１をスライド溝９１４から引き出すことができ、分離がより便利になる。次に、傘布１は、太陽電池セル１０１の重さを支持する必要がないので、より破損されにくい。スライディング溝９１４は、連通ホール９１１０を介して係止溝９２２に連通されると同時に、第２ブランキングキャップ９４０は、スライドレール９１０の係合部９１８及び係止溝９２２をシーリングしていないので、太陽電池セル１０１のリード線は、連通ホール９１１０を介して、骨格９２０の係止溝９２２に進入することができ、さらに傘柄２に進入して傘柄２内の蓄電池８に接続される。太陽電池セル１０１のリード線の全体配線過程において、リード線は骨格９２０、集線装置５及び傘柄２により保護され、太陽エネルギー傘を折り畳みても、リード線に影響を及ぼさないので、リード線が切れない。実際の応用において、第２ブランキングキャップ９４０に連通ホールを設けて、スライド溝９１４と係止溝９２２が連通してもよい。
【００５８】
スライドレール９１０と骨格９２０が分離された構造であり、係合方式で組み立てる優勢は、第３ブランキングキャップ９５０をオープンした後、外側へスライドレール９１０を引くと、スライドレール９１０を取り出すことができ、スライドレール９１０の交換、メンテナンスが便利になり、太陽電池セル１０１の様々な寸法の要求を満たすことができる。上述したように、スライドレール９１０と骨格９２０が一体に構成されて、組立のニーズが簡単になったが、傘骨９の成形にとっては、造形しにくい問題がある。
【００５９】
図２５を参照すると、太陽エネルギー傘の制御回路は、ＭＣＵ（メイン制御ユニット）、ＭＰＰＴ（最大出力ポイントの追跡）コントローラなどを備え、ＭＣＵは、ＭＰＰＴコントローラを介して蓄電池８に接続され、ＵＳＢポート６０４、ＬＥＤライト９０１、電動機などの電源のオン・オフは、ＭＣＵにより制御され、図７中のタッチパネルは、ブルートゥース（登録商標）方式でＭＣＵへ制御信号を送信することもできる。電動機の正/逆回転により、傘の昇降を実現することもでき、正転は上昇であり、逆回転は下降である。電動機は、ＰＩＤアルゴリズムを介して制御され、電動機の正確なオン・オフを実現する。
【００６０】
図２６を参照すると、蓄電池８は、ＵＳＢポート６０４、ＬＥＤライト９０１、電動機、制御システム、ＷＩＦＩの電力供給電源としてＤＣ/ＤＣコンバータを介して電圧を調節する。
【００６１】
本考案は、以上の実施例に結合して叙述したが、本考案は、前記実施例に限定されず、ただ実用新案登録請求の範囲によって限定され、本技術分野の当業者はこれに対する修正と変化を容易に思い出すことができるが、本考案の実質的な構想と範囲を超えない。
【符号の説明】
【００６２】
１：傘布  
２：傘柄
３：傘台
４：補助傘
５：集線装置
６：制御装置
７：締結装置
８：蓄電池
９：傘骨
１０１：太陽電池セル
１１０：支持ロッド
２０１：ホール
３０１：台座支柱
３０２：台座本体
３０３：台座締結装置
３０４：台座締結ネジ
５０１：集線装置のヘッドカバー
５０２：コンセントレータ締結部材
５０３：コンセントレータ
５０４：集線装置台座
５０５：挿入口
５０６：凹溝
６０１：制御装置リアカバー
６０２：制御装置フロントカバー
６０３：制御装置リアカバー固定ボルト
６０４：ＵＳＢポート
８０１：電池セル
８０２：固定板
８０３：ホール
８０４：電池ヘッドカバー
８０５：電池台座
８０６：ホール
８０７：位置決め溝
９０１：ＬＥＤライト
９１０：スライドレール  
９１１：底面壁
９１２：上部壁
９１３：間隔
９１４：スライディング溝
９１５：補助スライドレール
９１６：スロット
９１７：接続リブ
９１８：係合部
９１９：スロット
９１１０：連通穴
９２０：骨格
９２１：チューブ状部
９２２：係止溝
９２３：スロット
９２４：切り口
９３０：第１ブランキングキャップ
９３１：第１アーム部
９３２：第１管部
９３３：第２管部
９３４：ストッパー
９３５：第１板部
９３６：ボルト穴
９４０：第２ブランキングキャップ
９４１：第２アーム部
９４２：第４管部
９４３：第２板部
９４４：ボルト穴
９５０：第３ブランキングキャップ
９５１：第３管部
９５２：バックストップ
【図１】
0003220629.tif 000003
【図２】
0003220629.tif 000004
【図３】
0003220629.tif 000005
【図４】
0003220629.tif 000006
【図５】
0003220629.tif 000007
【図６】
0003220629.tif 000008
【図７】
0003220629.tif 000009
【図８】
0003220629.tif 000010
【図９】
0003220629.tif 000011
【図１０】
0003220629.tif 000012
【図１１】
0003220629.tif 000013
【図１２】
0003220629.tif 000014
【図１３】
0003220629.tif 000015
【図１４】
0003220629.tif 000016
【図１５】
0003220629.tif 000017
【図１６】
0003220629.tif 000018
【図１７】
0003220629.tif 000019
【図１８】
0003220629.tif 000020
【図１９】
0003220629.tif 000021
【図２０】
0003220629.tif 000022
【図２１】
0003220629.tif 000023
【図２２】
0003220629.tif 000024
【図２３】
0003220629.tif 000025
【図２４】
0003220629.tif 000026
【図２５】
0003220629.tif 000027
【図２６】
0003220629.tif 000028
【手続補正書】
【提出日】平成30年10月3日(2018.10.3)
【手続補正１】
【補正対象書類名】実用新案登録請求の範囲
【補正対象項目名】全文
【補正方法】変更
【補正の内容】
【実用新案登録請求の範囲】
【請求項１】
傘布を支持する傘骨と、前記傘布に実装される太陽電池セルと、挿入口が設けられ、前記太陽電池セルが挿入口に挿入して接続され且つ前記傘骨に装着される集線装置とを備えることを特徴とする太陽エネルギー傘。
【請求項２】
前記集線装置は、コンセントレータと、凹溝が設けられるとともに前記傘骨に装着される集線装置台座と、集線装置台座上に締結されて前記コンセントレータを前記凹溝内に支持するコンセントレータ締結部材とを備え、前記挿入口は、前記コンセントレータに位置する請求項１に記載の太陽エネルギー傘。
【請求項３】
前記傘布の上方に位置して前記挿入口をカバーする補助傘をさらに備え、
前記集線装置は、前記補助傘の上方に位置しかつ前記コンセントレータ締結部材に接続されることで前記補助傘を締め付ける集線装置ヘッドカバーを備える請求項２に記載の太陽エネルギー傘。
【請求項４】
前記太陽エネルギー傘の傘柄の内部に位置しかつ前記集線装置に接続される蓄電池をさらに備え、
前記蓄電池は、電池セル、固定板、電池ヘッドカバー及び電池台座を備え、前記電池セルは、前記固定板により前記電池ヘッドカバーと前記電池台座との間に挟み込まれて固定され、前記電池台座には、位置決め溝が設けられており、前記傘柄の内部には、前記位置決め溝に対応する突起が設けられ、前記位置決め溝は、前記突起に結合されて、前記蓄電池が前記傘柄に滑り込むようにされる請求項１〜３のいずれか一項に記載の太陽エネルギー傘。
【請求項５】
ＵＳＢポートと充電端子とが設置され且つ傘柄に装着される制御装置を備えることを特徴とする請求項４に記載の太陽エネルギー傘。
【請求項６】
前記傘骨には、ＬＥＤライトが装着されており、前記傘骨の開閉は、電動機により駆動され、前記蓄電池は、前記制御装置により、前記ＬＥＤライト及び前記電動機に電力を供給することを特徴とする請求項５に記載の太陽エネルギー傘。
【請求項７】
前記傘骨は、骨格と、前記太陽電池セルを内装するためのスライド溝が設けられ且つ前記骨格に装着されるスライドレールとを備える請求項１〜６のいずれか一項に記載の太陽エネルギー傘。
【請求項８】
前記傘骨は、第１ブランキングキャップ、第２ブランキングキャップ及び第３ブランキングキャップを備え、前記スライドレールは、底面壁と、前記底面壁の両側から対向して延長されかつ前記底面壁と間隔を置いている一対の上部壁と、前記底面壁および前記上部壁により形成されて部分的に開放された前記スライド溝とを備え、前記第１ブランキングキャップは、前記スライドレールの遠端をシーリングするように配置され、前記第２ブランキングキャップは、前記スライドレールの近端をシーリングするように配置され、前記第３ブランキングキャップは、前記骨格の遠端をシーリングしかつ前記第１ブランキングキャップについて位置制限するように配置される請求項７記載の太陽エネルギー傘。
【請求項９】
前記スライドレールの両側には、さらに補助スライドレールが設けられ、前記補助スライドレールは、滑らかな円弧断面を有して第１のスロットが設けられるチューブ構造である請求項８に記載の太陽エネルギー傘。
【請求項１０】
前記太陽エネルギー傘の傘布の両側に位置する支持ロッドをさらに備え、前記支持ロッドは、前記傘骨の前記補助スライドレール内に位置し、前記傘布は、前記補助スライドレールの第１のスロットから伸出される請求項９に記載の太陽エネルギー傘。
【請求項１１】
前記スライドレールの底面壁の中間位置には、下に延長された接続リブと、前記接続リブ下部に位置する係合部とが形成され、前記係合部は、滑らかな円弧断面を有して第２のスロットが設けられるチューブ構造であり、前記骨格は、チューブ状部及び前記チューブ状部の上方に位置しかつ滑らかな円弧断面を有する係止溝を備え、前記係止溝は第３のスロットを備え、前記スライドレールの係合部は前記係止溝内に位置して、前記接続リブは前記係止溝の第３のスロットから伸出される請求項９または１０に記載の太陽エネルギー傘。
【請求項１２】
前記スライド溝は、前記係止溝と連通されることを特徴とする請求項１１に記載の太陽エネルギー傘。
【請求項１３】
前記第１ブランキングキャップは、前記スライド溝をシーリングするように配置される第１アーム部、前記第１アーム部の両側に位置して前記補助スライドレールをシーリングするように配置される第１管部、前記第１アーム部の下部に位置し、前記係合部をシーリングするように配置される第２管部、及び前記第２管部の下部に位置するストッパーを備え、前記第３ブランキングキャップは、前記チューブ状部をシーリングするように配置される第３管部及び前記第３管部から上方へ延長し形成されたバックストップを備えることを特徴とする請求項１１または１２に記載の太陽エネルギー傘。
【請求項１４】
前記第１ブランキングキャップ及び/もしくは前記第２ブランキングキャップは、ボル
トを介して前記スライドレールに締結され、並びに/または前記第３ブランキングキャッ
プは、ボルトを介して前記骨格に締結されることを特徴とする請求項８〜１３のいずれか一項に記載の太陽エネルギー傘。
【請求項１５】
前記太陽電池セルは、前記第１ブランキングキャップ及び前記第２ブランキングキャップによって前記スライド溝内に位置制限され、前記スライド溝にスライド結合されることを特徴とする請求項８〜１４のいずれか一項に記載の太陽エネルギー傘。